(57)【要約】【課題】少なくとも魚釣用電動リールとバッテリとの電気的接続の適切な組み合わせを確保できるようにする魚釣用電動リール給電システム及びバッテリを提供する。【解決手段】本発明の魚釣用電動リールシステム１は、電動リール１０とバッテリ２０との電気的な接続時に自己を認識させるための識別信号を生成して接続相手に出力する識別信号生成出力部１３，２１と、識別信号を受信して接続の適合性を判定するための適合性判定部１２，２２と、適合性判定部２２での判定結果に基づいて記バッテリ２０からモータ１４への電力供給を制御する電力制御部２５Ａとを備える。【選択図】  図２
2020065507.tif 000002
【特許請求の範囲】
【請求項１】
魚釣用電動リールのリール本体に回転自在に支持されるスプールを巻き取り駆動するモータにバッテリを介して給電するための魚釣用電動リール給電システムであって、
前記魚釣用電動リール及び前記バッテリのうちの少なくとも一方に設けられ、前記魚釣用電動リールと前記バッテリとの電気的な接続時に自己を認識させるための識別信号を生成して接続相手に出力する識別信号生成出力部と、
前記魚釣用電動リール及び前記バッテリのうちの少なくとも一方に設けられ、前記識別信号を受信して接続の適合性を判定するための適合性判定部と、
前記魚釣用電動リール及び前記バッテリのうちの少なくとも一方に設けられ、前記適合性判定部での判定結果に基づいて前記バッテリから前記モータへの電力供給を制御する電力制御部と、
を備えることを特徴とする魚釣用電動リール給電システム。
【請求項２】
前記バッテリは、その充電状態を検知して充放電を最適化するとともに過電圧入力時に充放電動作を停止させる保護回路を有する充放電管理部と、前記識別信号に基づいて前記魚釣用電動リールが前記バッテリに電気的に接続されたことを検知した際には過電圧入力時に前記充放電管理部の前記保護回路を機能させない機能遮断部とを有することを特徴とする請求項１に記載の魚釣用電動リール給電システム。
【請求項３】
前記魚釣用電動リール及び前記バッテリのうちの少なくとも一方に設けられ、前記適合性判定部での判定結果を報知するための報知部を更に備えることを特徴とする請求項１又は２に記載の魚釣用電動リール給電システム。
【請求項４】
前記バッテリを充電するための電力を供給する充電器を更に備え、この充電器は、前記魚釣用電動リール又は前記バッテリとの電気的な接続時に自己を認識させるための識別信号を生成して接続相手に出力する識別信号生成出力部、接続相手からの識別信号を受信して接続の適合性を判定するための適合性判定部、前記適合性判定部での判定結果に基づいて電力供給を制御する電力制御部、及び、前記適合性判定部での判定結果を報知するための報知部のうちの少なくとも１つを備えることを特徴とする請求項１から３のいずれか一項に記載の魚釣用電動リール給電システム。
【請求項５】
魚釣用電動リールのリール本体に回転自在に支持されるスプールを巻き取り駆動するモータに電力を供給するためのバッテリであって、
前記魚釣用電動リール又は前記バッテリを充電するための充電器との電気的な接続時に自己を認識させるための識別信号を生成して接続相手に出力する識別信号生成出力部と、
接続相手からの識別信号を受信して接続の適合性を判定するための適合性判定部と、
前記適合性判定部での判定結果に基づいて充放電動作を制御するとともに、バッテリの充電状態を検知して充放電を最適化しつつ過電圧入力時に充放電動作を停止させる保護回路を伴う充放電管理部を有する充放電制御部と、
前記識別信号に基づいて前記魚釣用電動リールが前記バッテリに電気的に接続されたことを検知した際には過電圧入力時に前記充放電管理部の前記保護回路を機能させないとともに前記識別信号に基づいて前記充電器が前記バッテリに電気的に接続されたことを検知した際には過電圧入力時に前記充放電管理部の前記保護回路を機能させる保護回路機能制御部と、
を有することを特徴とするバッテリ。
【発明の詳細な説明】
【技術分野】
【０００１】
本発明は、魚釣用電動リールのリール本体に回転自在に支持されるスプールを巻き取り駆動するモータにバッテリを介して給電するための魚釣用電動リール給電システム及び該システムを構成するバッテリに関する。
【背景技術】
【０００２】
魚釣用電動リール（以下、単に電動リールと言う）は、リール本体に回転自在に支持されて釣糸が巻回されるスプールと、スプールを巻き取り回転駆動させるモータとを備え、モータはバッテリによって給電される（例えば、特許文献１及び特許文献２参照）とともに、バッテリは充電器によって充電される。
【先行技術文献】
【特許文献】
【０００３】
【特許文献１】特開２００２−０２７６７６号公報
【特許文献２】特開２０１２−０８０８２３号公報
【発明の概要】
【発明が解決しようとする課題】
【０００４】
このような電動リール、バッテリ、及び、充電器を使用して、バッテリを充電するとともに、バッテリによって電動リールのモータに給電する場合、現状では、１つの電動リールに対して新旧両方のバッテリが存在するとともに、それらのバッテリに対して新旧両方の充電器が存在し、ユーザは、これらの混在する新旧の機器を独自の判断で自在に任意に組み合わせて使用できる。そして、このように本来あるべき組み合わせ以外の組み合わせでも使用できてしまうと、想定されていなかった異常動作を引き起こしてしまう虞がある。特に、バッテリにおいては、昨今、リチウムイオン電池が多用されており、そのような異常動作の回避が今まで以上に強く求められている。
【０００５】
具体的には、素性が相互に分からない電動リール、バッテリ、及び、充電器同士を組み合わせて使用すると、例えば以下のような異常動作を伴う問題が生じ得る。
【０００６】
例えば、電動リールとバッテリとの組み合わせにおいては、電動リール固有の問題として、電動リールからバッテリへの逆起電力の印加に伴うバッテリ給電の停止が挙げられる。すなわち、電動リールのモータにおいては、一般に、一定電圧の入力からパルス列のＯＮ／ＯＦＦの一定周期を形成してＯＮの時間幅を変化させる電力制御方式、すなわち、ＰＷＭ制御が採用されており、早い周期でスイッチングを行なうことによりＯＮのパルス幅に比例した任意の電圧を得るようにしている。つまり、デューティ比を変化させることにより、駆動電圧制御を行なって、モータ（したがってスプール）の回転速度を制御するようにしている。そのため、例えば、実釣時に、仕掛けが根掛かりしたり、大物の魚が掛かるなどして、モータに大きな負荷が作用し、それにより、ユーザがモータの出力を下げてしまうと、デューティ比が小さくなるが、デューティ比が５０％を下回る（例えばＯＮ時間が少なくなってデューティ比が３０〜４０％にまで至る）と、パルスのＯＦＦの時間が長くなり、ＯＮからＯＦＦへ切り換わるとき（ＯＦＦ時）にモータ側への電力の供給が少なくなることから、それを補うためにコイル側で逆起電力が発生し、その逆起電力が電動リール側からバッテリ側へと入り込む場合がある（閾値で管理していても、閾値以上の過電圧がバッテリに入り込む場合がある）。
【０００７】
一方、バッテリ側には、通常、バッテリの充電状態を検知して充放電を最適化するとともに例えば許容充電量を規定するＰＳＥ（電気用品安全法）に対する準拠に関連して過電圧入力時に充放電動作を停止させる保護回路を有するバッテリマネージメントシステム（ＢＭＳ）が設けられており、そのため、電動リールとバッテリとの電気的な接続時にその接続相手を互いに認識できていない状態で前述したように電動リール側からバッテリ側へ逆起電力が入り込むと、過電圧を検知して保護回路が働いてしまい、バッテリから電動リールのモータへの電力供給が停止されてしまう場合がある。
【０００８】
魚とのやりとりの最中にこのようなモータへの電力供給の停止が生じると、モータ駆動が停止され、魚とのやりとりが困難となり、魚がバレてしまう（魚が仕掛けから外れてしまう）などの不都合が生じる可能性がある。また、そのような事態が生じない場合であっても、モータ駆動が停止された状態では、ユーザが、魚とのやりとりを続行するべくモータの動力の助けを受けずに手動でハンドルを操作して釣糸をスプールに強引に巻き取る場合もある。このように電力供給を伴わない状況下で釣糸巻き取り操作を行なってしまうと、釣糸の巻き取り量及び繰り出し量を計測するカウンタ計測表示部の機能が停止している状態で釣糸の巻き取り量及び繰り出し量が変化する結果となり、その後に電力供給がなされてモータ駆動が復帰する際には、カウンタの値が実際の値からずれてしまうこととなる。そのようなカウンタ値のずれは、スプール回転が自動停止されるはずの位置で巻き取り回転駆動が依然として継続されるという結果をもたらし、それにより、釣糸の過剰な巻き取りに伴って仕掛けをリール側に巻き込んで釣竿に過度な力を与えるなどといった二次的な新たな問題も引き起こし得る。
【０００９】
更に、電動リールとバッテリとの組み合わせにおいては、電動リールとバッテリとの電気的な接続時にその接続相手を互いに認識できていないと、互いに適合しないもの同士が接続されてしまう事態も招きかねず、その結果、過度な電力供給による電動リールの破損や電力供給不足による電動リールの性能低下をもたらす（例えば、リール性能を十分に発揮できなかったり、リール使用時間が短くなったりする）可能性もある。
【００１０】
一方、バッテリと充電器との組み合わせにおいても、バッテリと充電器との電気的な接続時にその接続相手を互いに認識できていないと、互いに適合しないもの同士が接続されてしまう虞がある。バッテリ及び充電器は共に、製造された時期によって法規制（ＰＳＥの改正等）や電池セルの開発状況により異なった仕様になっている場合があり、接続されたもの同士が互いに適合しているとは限らない。そのため、充電器によりバッテリを誤って過充電してしまったり、充電不足が生じてしまったりする場合もある。
【００１１】
なお、電動リールと充電器との組み合わせ、すなわち、電動リールと充電器との直接の電気的接続は、通常は想定されていないが、船電源と電動リールとを直接に接続する場合もあり得るほか、電気的知識があるユーザがリールチェックなどを目的として電気配線を独自に形成してバッテリを介すことなく電動リールと充電器とを電気的に直接に接続する場合もある。そのような推奨されない接続をそのまま許容した場合には、電動リールの破損や性能低下をもたらす可能性がある。
【００１２】
本発明は、上記した問題に着目してなされたものであり、少なくとも魚釣用電動リールとバッテリとの電気的接続の適切な組み合わせを確保できるようにする魚釣用電動リール給電システム及びバッテリを提供することを目的とする。
【課題を解決するための手段】
【００１３】
上記した目的を達成するために、本発明は、魚釣用電動リールのリール本体に回転自在に支持されるスプールを巻き取り駆動するモータにバッテリを介して給電するための魚釣用電動リール給電システムであって、前記魚釣用電動リール及び前記バッテリのうちの少なくとも一方に設けられ、前記魚釣用電動リールと前記バッテリとの電気的な接続時に自己を認識させるための識別信号を生成して接続相手に出力する識別信号生成出力部と、前記魚釣用電動リール及び前記バッテリのうちの少なくとも一方に設けられ、前記識別信号を受信して接続の適合性を判定するための適合性判定部と、前記魚釣用電動リール及び前記バッテリのうちの少なくとも一方に設けられ、前記適合性判定部での判定結果に基づいて前記バッテリから前記モータへの電力供給を制御する電力制御部とを備えることを特徴とする。
【００１４】
上記構成の魚釣用電動リール給電システムによれば、魚釣用電動リールとバッテリとの電気的な接続時に自己を認識させるための識別信号を生成して接続相手に出力する識別信号生成出力部を備えているため、例えば、バッテリに対して、現在どのようなタイプの魚釣用電動リールが接続されているのかを知らせることができ、一方、魚釣用電動リールに対しても、現在どのような容量のバッテリが接続されているのかを知らせることができる。また、上記構成の魚釣用電動リール給電システムによれば、識別信号を受信して接続の適合性を判定するための適合性判定部を備えるため、互いに適合しないもの同士が接続されてしまうような事態、すなわち、本来あるべき組み合わせ以外の組み合わせで使用してしまうことを回避できる。更に、上記構成の魚釣用電動リール給電システムによれば、このように互いに適合するもの同士の電気的接続を可能にするだけでなく、適合性判定部での判定結果に基づいてバッテリからモータへの電力供給を制御する電力制御部を更に備えているため、仮に適合していないもの同士が接続された場合であっても、例えば適合していない魚釣用電動リールに対するバッテリからの電力供給を制限するなどの制御が可能となり、過度な電力供給による電動リールの破損や電力供給不足による魚釣用電動リールの性能低下をもたらさないで済む。すなわち、魚釣用電動リール及びバッテリの性能を十分に生かした使用が可能となる。この場合、電力制御部は、接続された組み合わせに合った制御を選択して行なうことが好ましい。
【００１５】
また、上記構成によれば、バッテリは、その充電状態を検知して充放電を最適化するとともに過電圧入力時に充放電動作を停止させる保護回路を有する充放電管理部と、前記識別信号に基づいて前記魚釣用電動リールが前記バッテリに電気的に接続されたことを検知した際には過電圧入力時に前記充放電管理部の前記保護回路を機能させない機能遮断部とを有することが好ましい。このような構成によれば、モータの速度制御で一般的に行なわれているＰＷＭ制御において発生する逆起電力による問題を排除することが可能となり、誤った状態認知でバッテリ側から魚釣用電動リール側への電力供給が停止してしまうことがなくなる。すなわち、識別信号生成出力部及び適合性判定部による識別機能及び適合性判定機能も相俟って機能遮断部が充放電管理部の保護回路の作動を制御できるため、バッテリ側は、接続時点で負荷である魚釣用電動リールが接続されているのか或いは充電器が接続されているのかを判断できるとともに、魚釣用電動リールとバッテリとが接続される場合においては、バッテリに入力される逆起電力に伴う過電圧が過充電を伴わないこと（現在の状態が充電状態ではなく放電状態（負荷状態）であること）をバッテリ側に認識させることができ、バッテリの保護機能の動作状態を適切に制御して、不用意なモータ停止を防ぐことができる。したがって、前述したようなカウンタ値のずれに伴う釣糸の過剰な巻き取りによる魚釣用電動リール側への仕掛けの巻き込み等によって釣竿に過度な力を与えるなどといった二次的な新たな問題を引き起こさないで済む。
【００１６】
なお、上記構成において、「自己」とは、魚釣用電動リール及びバッテリのうち、識別信号を生成して出力する方の側のことであり、また、「自己を認識させるための識別信号」とは、魚釣用電動リール又はバッテリの種類等を接続相手に認識させるための信号であり、魚釣用電動リール又はバッテリを例えば一義的に特定し得る電気信号のことである。
【００１７】
また、上記構成によれば、魚釣用電動リール給電システムは、魚釣用電動リール及びバッテリのうちの少なくとも一方に設けられ、適合性判定部での判定結果を報知するための報知部を更に備えることが好ましい。このような報知部を設けることにより、ユーザは、現在の接続の組み合わせが適正であるか否かを知ることができ、また、適正な組み合わせの使用をユーザに促すこともできる。したがって、前述した従来の問題を解消して、魚釣用電動リール及びバッテリの性能を十分に生かした使用が可能となる。なお、そのような報知部としては、視覚的、聴覚的、触覚的に報知するもの、例えば、ＬＥＤ表示部、テキスト表示部、警告音発生部、振動発生部などを挙げることができる。
【００１８】
また、上記構成によれば、魚釣用電動リール給電システムがバッテリを充電するための電力を供給する充電器を更に備え、この充電器は、前記魚釣用電動リール又は前記バッテリとの電気的な接続時に自己を認識させるための識別信号を生成して接続相手に出力する識別信号生成出力部、接続相手からの識別信号を受信して接続の適合性を判定するための適合性判定部、前記適合性判定部での判定結果に基づいて電力供給を制御する電力制御部、及び、前記適合性判定部での判定結果を報知するための報知部のうちの少なくとも１つを備えることが好ましい。充電器側が識別信号生成出力部、適合性判定部、電力制御部、及び、報知部のうちの少なくとも１つを有することにより、例えば、魚釣用電動リールと充電器との想定していない接続時においては、それが推奨されない接続であることを充電器側からユーザに知らせて、魚釣用電動リールの破損や性能低下を回避できるとともに、バッテリと充電器との接続時においても、充電されるべきバッテリの容量に応じた電力供給制御を行なうことができ（ＰＳＥに準拠する充電時間制限や種類等の違いに伴う過充電及び充電不足を防止でき）、充電器の汎用化を実現できる。
また、本発明は、前述した特徴を効果的且つ効率的に有するバッテリも更に提供する。
【発明の効果】
【００１９】
本発明によれば、少なくとも魚釣用電動リールとバッテリとの電気的接続の適切な組み合わせを確保できるようにする魚釣用電動リール給電システム及びバッテリが得られる。
【図面の簡単な説明】
【００２０】
【図１】本発明の一実施形態に係る魚釣用電動リール給電システムを構成する魚釣用電動リール、バッテリ、及び、充電器の概略図である。
【図２】本発明の一実施形態に係る魚釣用電動リール給電システムのブロック図である。
【図３】バッテリと魚釣用電動リール又は充電器との組み合わせ接続時におけるバッテリ側での充放電制御の流れの一例を示すフローチャートである。
【図４】充電器とバッテリ又は魚釣用電動リールとの組み合わせ接続時における充電器側での給電制御の流れの一例を示すフローチャートである。
【発明を実施するための形態】
【００２１】
以下、図面を参照しながら本発明の実施形態について説明する。
図１には、本発明の一実施形態に係る魚釣用電動リール給電システム１を構成する電動リール１０、バッテリ２０、及び、充電器３０がそれぞれ概略的に示されている。図示のように、電動リール１０は、リール本体に回転自在に支持されて釣糸が巻回されるスプール９と、スプール９を少なくとも釣糸巻き取り方向に回転駆動させるためのモータ１４とを備える。また、電動リール１０には、スプール９を手動で回転させるための操作ハンドル１７と、リール操作に必要な所定の情報を表示する表示部１８と、モータ１４の出力を調整する（スプール９の回転速度を変える）ための操作部材１６とが設けられる。なお、表示部１８は、所定の報知を行なうための後述する報知部１８も兼ねるようになっている。
【００２２】
電動リール１０のモータ１４には、これを回転駆動させるための電力がバッテリ（例えばリチウムバッテリ）２０を介して供給されるようになっており、この図１には、バッテリ２０として、電動リール１０に対して直接に装着されて給電できるタイプのバッテリ２０Ａと、電気接続ケーブル２２を介してモータ１４に給電するタイプのバッテリ２０Ｂとが示される。また、バッテリ２０は充電器３０によって充電されるようになっている。充電器３０は、本体３０Ａと、本体３０Ａとバッテリ２０とを電気的に接続するための電気接続ケーブル３２と、コンセント電源に差し込み可能な電源ケーブル３４とを有する。
【００２３】
図２のブロック図に示されるように、本実施形態の魚釣用電動リール給電システム１を構成する電動リール１０、バッテリ２０、及び、充電器３０は、電気的に相互接続される際にその接続相手を互いに認識できるようになっており、それにより、電気的接続の適切な組み合わせを確保して、それに応じた適正な入出力制御を行なえるようになっている。
【００２４】
具体的には、電動リール１０は、前述したモータ１４及び報知部（表示部）１８に加えて、少なくともモータ１４及び報知部１８の動作を制御するための制御部１１と、電気接続ケーブル２２を介したバッテリ２０との電気的な接続時及び充電器３０との通常は想定していない（推奨されない）配線９０を介した電気的な接続時に自己を認識させるための識別信号を生成して接続相手に出力する識別信号生成出力部１３と、接続相手からの識別信号を受信して接続の適合性を判定するための適合性判定部１２と、電気信号を接続相手とやりとりするための信号入出力部１５とを有する。なお、適合性判定部１２による判定結果は報知部１８により報知されるようになっている。
【００２５】
また、バッテリ２０は、電気エネルギー（電力）を蓄積するための蓄電部（二次電池：例えばリチウム電池）２４と、電気接続ケーブル２２を介した電動リール１０との電気的な接続時又は電気接続ケーブル３２を介した充電器３０との電気的な接続時に自己を認識させるための識別信号を生成して接続相手に出力する識別信号生成出力部２１と、接続相手からの識別信号を受信して接続の適合性を判定するための適合性判定部２２と、適合性判定部２２での判定結果を報知するための報知部２３と、少なくとも蓄電部２４及び報知部２３の動作を制御するための制御部２５と、電気信号を接続相手とやりとりするための信号入出力部２９とを有する。
【００２６】
この場合、制御部２５は、適合性判定部２２での判定結果に基づいて蓄電部２４を用いた充放電動作を制御する充放電制御部２５Ａを有する。充放電制御部２５Ａは、バッテリ２０からモータ１４への電力供給（放電動作）を制御する電力制御部として機能するとともに、充電器３０から蓄電部２４への給電に伴う充電動作を制御する制御部として機能する。なお、バッテリ２０からモータ１４への電力供給を制御する前記電力制御部は、電動リール１０側に設けられていても構わない。この場合、電力制御部は、バッテリ２０から供給される電力のモータ１４に対する入力を制御する。
【００２７】
また、充放電制御部２５Ａは、蓄電部２４の充電状態を検知して充放電を最適化する充放電管理部２６を有する。この充放電管理部２６は、過電圧入力時に充放電動作を停止させる保護回路２７を伴う。
【００２８】
また、制御部２５は、識別信号に基づいて電動リール１０がバッテリ２０に電気的に接続されたことを検知した際には過電圧入力時に充放電管理部２６の保護回路２７を機能させない。また、識別信号に基づいて充電器３０がバッテリ２０に電気的に接続されたことを検知した際には、過電圧入力時に充放電管理部２６の保護回路２７を機能させる保護回路機能制御部２５Ｂを更に有する。
【００２９】
また、充電器３０は、電源からの電力を供給するための電力供給部３５と、電気接続ケーブル３２を介したバッテリ２０との電気的な接続時及び電動リール１０との通常は想定していない（推奨されない）配線９０を介した電気的な接続時に自己を認識させるための識別信号を生成して接続相手に出力する識別信号生成出力部３３と、接続相手からの識別信号を受信して接続の適合性を判定するための適合性判定部３２と、適合性判定部３２での判定結果を報知するための報知部３１と、少なくとも電力供給部３５及び報知部３１の動作を制御するための制御部（部分的に電力制御部を構成する）３４と、電気信号を接続相手とやりとりするための信号入出力部３９とを有する。
【００３０】
なお、本実施形態では、適合性判定部が電動リール１０、バッテリ２０、及び、充電器３０の全てにそれぞれ設けられているが、適合性判定部は少なくともバッテリ２０及び充電器３０に設けられていればよく、電動リール１０に対するその設置は任意である。適合性判定部における判定は、識別信号に含まれる特定の要素の有無により行なわれる。
【００３１】
次に、図３及び図４を参照しながら、以上のような構成を備える魚釣用電動リール給電システム１の制御動作の一例について説明する。
図３は、バッテリ２０と電動リール１０又は充電器３０との組み合わせ接続時におけるバッテリ２０側での充放電制御の流れの一例を示すフローチャートである。
【００３２】
図示のように、まず最初に、バッテリ２０と電動リール１０又は充電器３０とが電気的に接続されたかどうかが例えば信号入出力部２９における接続検知部によって検知される（ステップＳ１）。接続が検知される（ステップＳ１においてＹｅｓの場合）と、続いて、例えば適合性判定部２２に付設される信号検知部によって接続相手から識別信号が受信されたか否かが判断される（ステップＳ２）とともに、識別信号生成出力部２１もバッテリ２０（自己）を認識させるための識別信号を生成してそれを接続相手に出力する。
【００３３】
なお、このような識別信号としては、例えばパルスのＯＮ／ＯＦＦ幅を１周期内で変化させるようなものを挙げることができ、また、その送受信は、動力線がプラスとマイナスの２本しか存在しない場合には、例えば、バッテリ２０と接続相手との接続時からバッテリ２０及びその接続相手が電気的に安定した状態になるまでの所定の期間に限定して、プラスの接続端子側から延びる動力線を通じて行なわれる。具体的には、例えば電動リール１０とバッテリ２０とが接続された場合、その接続直後の初期状態では、マイコン（制御部）などの起動が不安定な領域が存在するため、一般に、電動リール１０及びバッテリ２０の内部で電気的な安定が確保されるまで（例えば１秒程度（製品規格により異なる）の時間が経過するまで）電力や制御信号等の駆動信号が送受信されないようになっている（接続時と給電動作時との間にタイムラグがある）ことから、実質的な駆動信号が送受信されないこの時間帯を利用して識別信号のやりとりを行なう（例えば、識別信号を他の信号に重畳させてもよい）。無論、２本の動力線とは別に識別信号送受信用の専用の電気配線が設けられる場合には、初期状態の限定された時間帯で識別信号を送受信する必要はなく、例えば任意の時間に（例えば定期的に）識別信号のやりとりが行なわれてもよい。
【００３４】
このような識別信号の受信が確認されたら（ステップＳ２においてＹｅｓの場合）、続いて、接続相手との接続の適合性が適合性判定部２２によって判断される（ステップＳ３）。適合している判断されると（ステップＳ３においてＹｅｓの場合）、制御部２５（充放電制御部２５Ａ）によって蓄電部２４を用いた放電又は充電の動作が行なわれる（ステップＳ４）。すなわち、バッテリ２０に電動リール１０が接続されている場合には、バッテリ２０の蓄電部２４から電動リール１０へ電力が供給される放電動作が行なわれ、一方、バッテリ２０に充電器３０が接続されている場合には、制御部２５（充放電制御部２５Ａ）が充電器３０の電力供給部３５から蓄電部２４への充電動作を許容する。なお、適合性判定部２２によって接続が適合していないと判断されると（ステップＳ３においてＮｏの場合）、その旨が報知部２３（及び／又は報知部１８，３１）によって視覚的、聴覚的、又は、触覚的に報知されて（ステップＳ８）、放電及び充電の動作が行なわれない（ステップＳ９）。
【００３５】
放電動作中又は充電動作中においては保護回路機能制御部２５Ｂによって過電圧の入力が監視されており（ステップＳ５）、過電圧の入力が検知されると（ステップ５においてＹｅｓの場合）、保護回路機能制御部２５Ｂは、前述した識別信号に基づいてバッテリ２０が電動リール１０に接続されているか否かを判断し（ステップＳ６）、電動リール１０に接続されている場合（ステップＳ６においてＹｅｓの場合）には、入力された過電圧が電動リール１０からの逆起電力に起因するものであると判断して充放電管理部２６の保護回路２７を機能させることなく放電（電動リール１０に対する給電）を継続させる（ステップＳ７）。一方、バッテリ２０に接続されている接続相手が充電器３０である場合（ステップＳ６においてＮｏの場合）、保護回路機能制御部２５Ｂは、入力される過電圧が過充電によるものであると判断して充放電管理部２６の保護回路２７を機能させ、充電動作を停止させる（ステップＳ１０）。
【００３６】
図４は、充電器３０とバッテリ２０又は電動リール１０との組み合わせ接続時における充電器３０側での給電制御の流れの一例を示すフローチャートである。
図示のように、まず最初に、充電器３０とバッテリ２０又は電動リール１０とが電気的に接続されたかどうかが例えば信号入出力部３９における接続検知部によって検知される（ステップＳ２１）。接続が検知される（ステップＳ２１においてＹｅｓの場合）と、続いて、例えば適合性判定部３２に付設される信号検知部によって接続相手から識別信号が受信されたか否かが判断される（ステップＳ２２）とともに、識別信号生成出力部３３も充電器３０（自己）を認識させるための識別信号を生成してそれを接続相手に出力する。なお、識別信号の送受信のタイミングについては、図３の場合と同じである。
【００３７】
このような識別信号の受信が確認されたら（ステップＳ２２においてＹｅｓの場合）、続いて、接続相手との接続の適合性が適合性判定部３２によって判断される（ステップＳ２３）。適合している判断されると（ステップＳ２３においてＹｅｓの場合）、制御部３４によって電力供給部３５から接続相手（実際には適合性のあるバッテリ２０となる）に電力が供給される（ステップＳ２４）。一方、適合性判定部３２によって接続が適合していないと判断されると（ステップＳ２３においてＮｏの場合）、その旨が報知部３５（及び／又は報知部１８，２３）によって視覚的、聴覚的、又は、触覚的に報知されて（ステップＳ２５）、電力供給部３５から電力の供給が行なわれない（ステップＳ２６）。
【００３８】
以上説明したように、本実施形態の魚釣用電動リール給電システム１によれば、電動リール１０とバッテリ２０との電気的な接続時に自己を認識させるための識別信号を生成して接続相手に出力する識別信号生成出力部１３，２１を備えているため、例えば、バッテリ２０に対して、現在どのようなタイプの電動リール１０が接続されているのかを知らせることができ、一方、電動リール１０に対しても、現在どのような容量のバッテリ２０が接続されているのかを知らせることができる。また、本実施形態の魚釣用電動リール給電システム１によれば、識別信号を受信して接続の適合性を判定するための適合性判定部１２，２２を備えるため、互いに適合しないもの同士が接続されてしまうような事態、すなわち、本来あるべき組み合わせ以外の組み合わせで使用してしまうことを回避できる。更に、本実施形態の魚釣用電動リール給電システム１によれば、このように互いに適合するもの同士の電気的接続を可能にするだけでなく、適合性判定部１２，２２での判定結果に基づいてバッテリ２０からモータ１４への電力供給を制御する充放電制御部（電力制御部）２５Ａを更に備えているため、仮に適合していないもの同士が接続された場合であっても、例えば適合していない電動リール１０に対するバッテリ２０からの電力供給を制限するなどの制御が可能となり、過度な電力供給による電動リール１０の破損や電力供給不足による電動リール１０の性能低下をもたらさないで済む。すなわち、電動リール１０及びバッテリ２０の性能を十分に生かした使用が可能となる。この場合、充放電制御部（電力制御部）２５Ａは、接続された組み合わせに合った制御を選択して行なうことが好ましい。
【００３９】
また、本実施形態によれば、バッテリ２０は、その充電状態を検知して充放電を最適化するとともに過電圧入力時に充放電動作を停止させる保護回路２７を有する充放電管理部２６と、識別信号に基づいて電動リール１０がバッテリ２０に電気的に接続されたことを検知した際には過電圧入力時に充放電管理部２６の保護回路２７を機能させない機能遮断部２８を有するため、モータ１４の速度制御で一般的に行なわれているＰＷＭ制御において発生する逆起電力による問題を排除することが可能となり、誤った状態認知でバッテリ２０側から電動リール１０側への電力供給が停止してしまうことがなくなる。すなわち、識別信号生成出力部２１及び適合性判定部２２による識別機能及び適合性判定機能も相俟って機能遮断部２８が充放電管理部２６の保護回路２７の作動を制御できるため、バッテリ２０側は、接続時点で負荷である電動リール１０が接続されているのか或いは充電器３０が接続されているのかを判断できるとともに、電動リール１０とバッテリ２０とが接続される場合においては、バッテリ２０に入力される逆起電力に伴う過電圧が過充電を伴わないこと（現在の状態が充電状態ではなく放電状態（負荷状態）であること）をバッテリ２０側に認識させることができ、バッテリ２０の保護機能の動作状態を適切に制御して、不用意なモータ１４の停止を防ぐことができる。したがって、前述したようなカウンタ値のずれに伴う釣糸の過剰な巻き取りによる電動リール１０側への仕掛けの巻き込み等によって釣竿に過度な力を与えるなどといった二次的な新たな問題を引き起こさないで済む。
【００４０】
また、本実施形態の魚釣用電動リール給電システム１は、適合性判定部１２，２２での判定結果を報知するための報知部１１，２３を更に備えているため、ユーザは、現在の接続の組み合わせが適正であるか否かを知ることができ、また、適正な組み合わせの使用をユーザに促すこともできる。したがって、前述した従来の問題を解消して、電動リール１０及びバッテリ２０の性能を十分に生かした使用が可能となる。
【００４１】
また、本実施形態によれば、魚釣用電動リール給電システム１がバッテリ２０を充電するための電力を供給する充電器３０を更に備え、この充電器３０は、電動リール１０又はバッテリ２０との電気的な接続時に自己を認識させるための識別信号を生成して接続相手に出力する識別信号生成出力部３３、接続相手からの識別信号を受信して接続の適合性を判定するための適合性判定部３２、適合性判定部３２での判定結果に基づいて電力供給を制御する制御部３４、及び、適合性判定部３２での判定結果を報知するための報知部３１を備えているため、例えば、電動リール１０と充電器３０との想定していない接続時においては、それが推奨されない接続であることを充電器３０側からユーザに知らせて、電動リール１０の破損や性能低下を回避できるとともに、バッテリ２０と充電器３０との接続時においても、充電されるべきバッテリ２０の容量に応じた電力供給制御を行なうことができ（ＰＳＥに準拠する充電時間制限や種類等の違いに伴う過充電及び充電不足を防止でき）、充電器３０の汎用化を実現できる。
【００４２】
なお、本発明は、前述した実施形態に限定されず、その要旨を逸脱しない範囲で種々変形して実施できる。例えば、前述した実施形態では、信号生成出力部及び適合性判定部が制御部とは別個に設けられているが、信号生成出力部及び適合性判定部の少なくとも一方が制御部に含まれてもよい。また、前述した実施形態では、保護回路機能制御部が機能遮断部とは別個に示されているが、機能遮断部が保護回路機能制御部自体であってもよい。更に、前述した実施形態では、充放電制御部と保護回路機能制御部とが別個に設けられているが、充放電制御部が保護回路機能制御部を兼ねてもよい。
【符号の説明】
【００４３】
１  魚釣用電動リール給電システム
９  スプール
１０  魚釣用電動リール
１１，２５，３４  制御部
１２，２２，３２  適合性判定部
１３，２１，３３  識別信号生成出力部
１４  モータ
１８，２３，３１  報知部
２０  バッテリ
２５Ａ  充放電制御部（電力制御部）
２５Ｂ  保護回路機能制御部
２６  充放電管理部
２７  保護回路
２８  機能遮断部
３０  充電器
【図１】
2020065507.tif 000003
【図２】
2020065507.tif 000004
【図３】
2020065507.tif 000005
【図４】
2020065507.tif 000006